(57)【要約】      （修正有）【課題】十分な容量と揚送距離を有した大きな試験水槽の大掛かりな試験設備を準備することなく、小さな試験スペースで容易に精度の高い攪拌能力範囲の確認ができることから、広大な試験ヤードと莫大な費用投資を必要とせずに、前記速測定管内を送水される流体を直接計測器で計測されるので、容易に精度の高い攪拌能力範囲の確認ができる水中ミキサーの揚水試験装置を提供する。【解決手段】水中ミキサー２の後端に付設された設置ベース部７により、安定して水槽１０内に設置される水中ミキサー２の前端に装着されるプロペラ３を囲繞する、ガイドリング４の攪拌噴出口4ｄ端面に、整流板６が内装された測定管５が付設され、該測定管には送水される流体を計測するための計測器が装着されよう構成する。【選択図】図１
2015100728.tif 000002
【特許請求の範囲】
【請求項１】
水中ミキサーの後端に付設された設置ベース部により、安定して水槽内に設置される水中ミキサーの前端に装着されるプロペラを囲繞する、ガイドリングの攪拌噴出口端面に、整流板が内装された測定管が付設され、該測定管には送水される流体を計測するための計測器が装着されよう構成されていることを特徴とする、水中ミキサーの揚水試験装置。
【請求項２】
前記測定管に装着される計測器が流速計で構成されていることを特徴とする、請求項１記載の水中ミキサーの揚水試験装置。
【請求項３】
前記測定管に装着される計測器が流量計で構成されていることを特徴とする、請求項１記載の水中ミキサーの揚水試験装置。
【請求項４】
前記水中ミキサーの揚水試験装置が立設され直上方向に噴出するよう構成されていることを特徴とする、請求項１ないし３のいずれか一項に記載の水中ミキサーの揚水試験装置。
【請求項５】
前記水中ミキサーの揚水試験装置が横設されよう構成されていることを特徴とする、請求項１ないし３のいずれか一項に記載の水中ミキサーの揚水試験装置。
【発明の詳細な説明】
【技術分野】
【０００１】
本発明は、オキシデーションディッチ処理を含む下水処理場の処理槽や湖，沼，池等の湖沼浄化に用いられる、水中ミキサーの揚水試験装置に関するものである。
【背景技術】
【０００２】
下水処理場等の処理槽や湖沼内に設置される、プロペラを環状の案内板で囲繞した水中ミキサーの攪拌流によって、槽内等の処理液を均一に攪拌することで、処理液を効率よく浄化処理されていることも知られている（例えば、特許文献１参照。）。
【０００３】
なお、前記処理槽がオキシデーションディッチ処理の処理槽内に攪拌機を用いて、攪拌またはスカム収集・除去されていることも知られている（例えば、特許文献２と特許文献３または特許文献４参照。）。
【０００４】
また、湖，沼，池等に複数の水中ミキサーを設置して、湖沼等の広範囲の水域を循環攪拌することで湖沼内の水質改善を目的とした、湖沼等の浄化に使用されることも知られている（例えば、特許文献５参照。）。
【先行技術文献】
【特許文献】
【０００５】
【特許文献１】特開２００３−３８９４５号公報
【特許文献２】特開平７−２２２９９０号公報
【特許文献３】特開２０１２−２１０６０１号公報
【特許文献４】特開２００６−３３４４４９号公報
【特許文献５】実開平７−１７３９９号公報
【発明の概要】
【発明が解決しようとする課題】
【０００６】
本発明が解決しようとする課題は、広範囲の水域を均一に攪拌させなければならないことから、本来は十分な容量と揚送距離を有した大きな試験水槽で、例えば可搬式の流速計を用いて水中ミキサーから送水される攪拌噴流の測定距離を変えながら、各測定距離における流速を計測することで、最低流速以上の該水中ミキサーの攪拌能力範囲を測定しなければならないが、実際にはそのような大掛かりな試験設備を準備するために、広大な試験ヤードと莫大な費用投資が必要となることから、現状はそのような十分な試験環境が整えられないことから、現実的には下水処理場や湖沼等の現場に機器を持込で行うフィールドテストにより、所定の流速値がクリアされている領域、即ち攪拌能力範囲の測定を行うか、或いはフィールドテスト等ができない場合は、送水駆動時の水中ミキサーからの反力Ｆ(軸推力)を計測し、該計測の反力Ｆを基に一般的な次の関係式「Ｆ(反力)＝ρ(密度)×Ｑ(流量)×ｖ（流速）」から簡易的に流量Ｑを算出して攪拌能力範囲を推定する方法もあるが、何れにしても容易に精度の高い攪拌能力範囲の確認ができないことから、大掛かりな試験設備を準備することなく、広大な試験ヤードと莫大な費用投資を必要とせずに、容易に精度の高い攪拌能力範囲の確認ができる、水中ミキサーの揚水試験装置を提供することである。
【課題を解決するための手段】
【０００７】
前記目的を達成するため、本発明は以下のような構成にしたものである。
【０００８】
本発明に係る請求項１記載の水中ミキサーの揚水試験装置では、水中ミキサーの後端に付設された設置ベース部により、安定して水槽内に設置される水中ミキサーの前端に装着されるプロペラを囲繞する、ガイドリングの攪拌噴出口端面に、整流板が内装された測定管が付設され、該測定管には送水される流体を計測するための計測器が装着されよう構成されていることを最も主要な特徴とする。
【０００９】
本発明に係る請求項２記載の水中ミキサーの揚水試験装置では、請求項１記載の水中ミキサーの揚水試験装置であって、前記測定管に装着される計測器が流速計で構成される。
【００１０】
本発明に係る請求項３記載の水中ミキサーの揚水試験装置では、請求項１記載の水中ミキサーの揚水試験装置であって、前記測定管に装着される計測器が流量計で構成される。
【００１１】
本発明に係る請求項４記載の水中ミキサーの揚水試験装置では、請求項１ないし３のいずれか一項に記載の水中ミキサーの揚水試験装置であって、前記水中ミキサーの揚水試験装置が立設され直上方向に噴出するよう構成される。
【００１２】
本発明に係る請求項５記載の水中ミキサーの揚水試験装置では、請求項１ないし３のいずれか一項に記載の水中ミキサーの揚水試験装置であって、前記水中ミキサーの揚水試験装置が横設されよう構成される。
【発明の効果】
【００１３】
本発明の水中ミキサーの揚水試験装置によれば、水中ミキサーの後端に付設された設置ベース部により、安定して水槽内に設置される水中ミキサーの前端に装着されるプロペラを囲繞する、ガイドリングの攪拌噴出口端面に、整流板が内装された測定管が付設され、該測定管には送水される流体を計測するための計測器が装着されよう構成されていることにより、オキシデーションディッチ処理槽や湖沼等の広範囲の水域を均一に循環攪拌する水中ミキサーの攪拌能力範囲の確認のためには、十分な容量と揚送距離を有した大きな試験水槽の大掛かりな試験設備を準備しなければならないが、そのような大掛かりな試験設備を準備することなく、小さな試験スペースで容易に精度の高い攪拌能力範囲の確認ができることから、広大な試験ヤードと莫大な費用投資を必要とせずに、前記測定管内を送水される流体を直接計測器で計測されるので、容易に精度の高い攪拌能力範囲の確認ができる、水中ミキサーの揚水試験装置を提供し得るという効果を有している。
【００１４】
また、前記計測器を流速計で構成することで、本発明の水中ミキサーの揚水試験装置全体がシンプル且つコンパクトに構成し得ることに加えて、安価に製作し得るという効果を奏する。
【００１５】
更に、前記計測器を流量計で構成することで、送水される流体の流量を直接計測されることで、極めて精度の高い攪拌能力範囲を容易に確認し得るという効果を奏する。
【００１６】
更にまた、本発明の水中ミキサーの揚水試験装置を直上方向に噴出するよう槽底に設置ベース部の設置端面を当接させて立設することで、比較的水深の深い既設の水槽において最少限の投影試験スペースで攪拌能力範囲を容易に確認し得るという効果を奏する。
【００１７】
また、本発明の水中ミキサーの揚水試験装置を横設することで、槽内側壁に設置ベース部の設置端面を当接させることで、水深の浅い既設の水槽に対しても攪拌能力範囲を容易に確認し得るという効果を奏する。
【図面の簡単な説明】
【００１８】
【図１】本発明の水中ミキサーの揚水試験装置が、立設され直上方向に噴出するよう計測器が流速計で構成された、水中ミキサーの揚水試験装置の縦断側面図である。
【図２】図１の水中ミキサーの揚水試験装置の平面図である。
【図３】本発明の水中ミキサーの揚水試験装置が、立設され直上方向に噴出するよう計測器が流量計で構成された、水中ミキサーの揚水試験装置の縦断側面図である。
【図４】図３の水中ミキサーの揚水試験装置の平面図である。
【図５】本発明の水中ミキサーの揚水試験装置が、横設され計測器が流速計で構成された、水中ミキサーの揚水試験装置の縦断側面図である。
【図６】図５の水中ミキサーの揚水試験装置の左側面図である。
【図７】本発明の水中ミキサーの揚水試験装置が、横設され計測器が流量計で構成された、水中ミキサーの揚水試験装置の縦断側面図である。
【図８】図７の水中ミキサーの揚水試験装置の左側面図である。
【発明を実施するための形態】
【００１９】
本発明の水中ミキサーの揚水試験装置の実施の形態を実施例に基づき、添付図面の図１ないし図８を参照して詳細に説明するが、この実施例の形態によりこの発明が限定されるものでない。
【実施例１】
【００２０】
図１ないし図８において、１は水中ミキサーの揚水試験装置であり、設置ベース部７を水槽１０の槽底や側壁に当接させることで、該水中ミキサーの揚水試験装置１を安定して水槽１０内に設置し、該設置ベース部７に水中ミキサー２の後端を定着すると共に、他方水中ミキサー２の前端に装着されるプロペラ３を囲繞するガイドリング４が該設置ベース部７に固定され、該ガイドリング４前端に攪拌噴出口４ｄが開口され、該攪拌噴出口４ｄ端面には整流板６が内装された測定管５が付設され、該測定管５には送水される流体を計測するための計測器が装着させることで、十分な容量と揚送距離を有した大きな試験水槽の大掛かりな試験設備を準備することなく、小さな試験スペースで容易に精度の高い攪拌能力範囲の確認ができることから、広大な試験ヤードと莫大な費用投資を必要とせずに、前記測定管５内を送水される流体を直接計測器で計測されるので、容易に精度の高い攪拌能力範囲の確認ができるよう構成されている。
【実施例２】
【００２１】
前記実施例１に基づいて、図１および図２を用いて説明すると、１は水中ミキサー２の揚水試験装置であり、設置ベース部７を水槽１０の槽底を着座させることで、該水中ミキサーの揚水試験装置１を安定して水槽１０内に立設設置し、該設置ベース部７に水中ミキサー２の後端を定着すると共に、他方水中ミキサー２の前端に装着されるプロペラ３を囲繞するガイドリング４が該設置ベース部７に固定され、該ガイドリング４前端に攪拌噴出口４ｄが上方に開口され、該攪拌噴出口４ｄ端面には整流板６が内装された測定管５が付設され、該測定管５の上方開口から測定管５内に導入された計測器の取付ステー８ｓに付設された流速計８ａによって、該測定管５内を噴流送水される流体の流速を直接計測することで、シンプルでコンパクト且つ安価に製作し得ると共に、既設の水槽において最少限の投影試験スペースで攪拌能力範囲を容易に確認し得るよう構成されている。
【実施例３】
【００２２】
前記実施例１に基づいて、図３および図４を用いて説明すると、１は水中ミキサー２の揚水試験装置であり、設置ベース部７を水槽１０の槽底を着座させることで、該水中ミキサーの揚水試験装置１を安定して水槽１０内に立設設置し、該設置ベース部７に水中ミキサー２の後端を定着すると共に、他方水中ミキサー２の前端に装着されるプロペラ３を囲繞するガイドリング４が該設置ベース部７に固定され、該ガイドリング４前端に攪拌噴出口４ｄが上方に開口され、該攪拌噴出口４ｄ端面には整流板６が内装された測定管５が付設され、該測定管５の上方開口端面に付設された流量計８ｂによって、該測定管５内を噴流送水される流体の流量を直接計測することで、極めて精度の高い攪拌能力範囲を容易に確認し得ると共に、既設の水槽において最少限の投影試験スペースで攪拌能力範囲を容易に確認し得るよう構成されており、該流量計８ｂの吐出口に吐出開口面積が調整できるようにバルブを付設することが望ましい。
【実施例４】
【００２３】
前記実施例１に基づいて、図５および図６を用いて説明すると、１は水中ミキサー２の揚水試験装置であり、設置ベース部７を水槽１０の槽底と側壁に当接させることで、該水中ミキサーの揚水試験装置１を安定して水槽１０内に横設設置し、該設置ベース部７に水中ミキサー２の後端を定着すると共に、他方水中ミキサー２の前端に装着されるプロペラ３を囲繞するガイドリング４が該設置ベース部７に固定され、該ガイドリング４前端に攪拌噴出口４ｄが開口され、該攪拌噴出口４ｄ端面には整流板６が内装された測定管５が付設され、該測定管５の開口端面から測定管５内に導入された計測器の取付ステー８ｓに付設された流速計８ａによって、該測定管５内を噴流送水される流体の流速を直接計測することで、シンプルでコンパクト且つ安価に製作し得ると共に、水深の浅い既設の水槽に対しても攪拌能力範囲を容易に確認し得るよう構成されている。
【実施例５】
【００２４】
前記実施例１に基づいて、図７および図８を用いて説明すると、１は水中ミキサー２の揚水試験装置であり、設置ベース部７を水槽１０の槽底と側壁に当接させることで、該水中ミキサーの揚水試験装置１を安定して水槽１０内に横設設置し、該設置ベース部７に水中ミキサー２の後端を定着すると共に、他方水中ミキサー２の前端に装着されるプロペラ３を囲繞するガイドリング４が該設置ベース部７に固定され、該ガイドリング４前端に攪拌噴出口４ｄが開口され、該攪拌噴出口４ｄ端面には整流板６が内装された測定管５が付設され、該測定管５の開口から測定管５内に導入された計測器の取付ステー８ｓに付設された流速計８ａによって、該測定管５内を噴流送水される流体の流速を直接計測することで、極めて精度の高い攪拌能力範囲を容易に確認し得ると共に、水深の浅い既設の水槽に対しても攪拌能力範囲を容易に確認し得るよう構成されており、該流量計８ｂの吐出口に吐出開口面積が調整できるようにバルブを付設することが望ましい。
【符号の説明】
【００２５】
１    水中ミキサーの揚水試験装置
２    水中ミキサー
３    プロペラ
４    ガイドリング
４ｄ  攪拌噴出口
５    測定管
６    整流板
７    整流板
８ａ  流速計
８ｂ  流量計
８ｓ  取付ステー
１０  水槽
【図１】
2015100728.tif 000003
【図２】
2015100728.tif 000004
【図３】
2015100728.tif 000005
【図４】
2015100728.tif 000006
【図５】
2015100728.tif 000007
【図６】
2015100728.tif 000008
【図７】
2015100728.tif 000009
【図８】
2015100728.tif 000010